(57)【特許請求の範囲】
【請求項１】
複数のアドレス電極及び前記アドレス電極に交差して互いに対をなして配列された複数の走査電極と複数の維持電極を含み、前記アドレス電極と前記走査電極または前記維持電極の間にパネルキャパシターが形成されるプラズマディスプレイパネルの電力回収回路において、
第１電圧を供給する第１電源と前記パネルキャパシターの一端の間に電気的に連結される第１スイッチング素子と、
前記第１スイッチング素子と前記パネルキャパシターの接続点に一端が連結される第２スイッチング素子と、
前記第２スイッチング素子の他端に一端が電気的に連結されるインダクタと、
前記インダクタの他端にアノードが連結され、前記第１スイッチング素子と前記パネルキャパシターの接続点の間にカソードが連結される第１ダイオードと、
第２電圧を供給する第２電源にアノードが連結され、前記第２スイッチング素子と前記インダクタの接続点の間にカソードが連結される第２ダイオードと、
前記インダクタの他端と前記第２電源の間に連結される第３スイッチング素子と、を含み、
前記パネルキャパシターの端子電圧の前記第２電圧を維持する間に前記インダクタに流れる電流を蓄勢循環させることを特徴とするプラズマディスプレイパネルの電力回収回路。
【請求項２】
前記第２スイッチング素子にアノードが連結され、前記インダクタにカソードが連結される第３ダイオードをさらに含むことを特徴とする請求項１に記載のプラズマディスプレイパネルの電力回収回路。
【請求項３】
前記第１電圧はアドレス電圧であり、前記第２電圧は接地電圧であることを特徴とする請求項１に記載のプラズマディスプレイパネルの電力回収回路。
【請求項４】
複数のアドレス電極及び前記アドレス電極に交差し互いに対をなしてジグザグに配列された複数の走査電極と複数の維持電極を含み、前記アドレス電極と前記走査電極または前記維持電極の間にパネルキャパシターが形成されるパネルと前記パネルを駆動する駆動装置において、
前記パネルキャパシターの一端に一端が電気的に連結されるインダクタを含み、第１電圧で充電された前記パネルキャパシターのエネルギーを前記インダクタに移して蓄積することによって前記パネルキャパシターの端子電圧を第２電圧に変え、前記パネルキャパシターの端子電圧の前記第２電圧を維持する間に前記インダクタに流れる電流を蓄勢循環させ、前記インダクタに蓄積されたエネルギーを利用して前記パネルキャパシターの端子電圧を前記第１電圧に変えることを特徴とするプラズマディスプレイパネルの駆動装置。
【請求項５】
前記電流が蓄勢循環するように前記インダクタにカソードが連結され、前記第２電圧源にアノードが電気的に連結される少なくとも一つのダイオードをさらに含むことを特徴とする請求項４に記載のプラズマディスプレイパネルの駆動装置。
【請求項６】
前記パネルキャパシターの端子電圧が前記第１電圧に変わった後、前記パネルキャパシターの一端を前記第１電圧源に連結することによって前記パネルキャパシターの端子電圧を前記第１電圧に維持することを特徴とする請求項４に記載のプラズマディスプレイパネルの駆動装置。
【請求項７】
前記第１電圧源と前記パネルキャパシターの間に電気的に連結されて前記パネルキャパシターの端子電圧が前記第１電圧に維持するようにスイッチング動作するスイッチング素子をさらに含むことを特徴とする請求項６に記載のプラズマディスプレイパネルの駆動装置。
【請求項８】
前記パネルキャパシターの一端と前記インダクタの一端の間に電気的に連結されて前記パネルキャパシターに保存されたエネルギーが前記インダクタに蓄積されるようにスイッチング動作するスイッチング素子をさらに含むことを特徴とする請求項４に記載のプラズマディスプレイパネルの駆動装置。
【請求項９】
前記インダクタの他端と前記パネルキャパシターの一端の間に連結されて前記インダクタから前記パネルキャパシターへの電流経路を形成するダイオードをさらに含むことを特徴とする請求項４に記載のプラズマディスプレイパネルの駆動装置。
【請求項１０】
前記第１電圧はアドレス電圧であり、前記第２電圧は接地電圧であることを特徴とする請求項４に記載のプラズマディスプレイパネルの駆動装置。
【請求項１１】
複数のアドレス電極及び前記アドレス電極に交差して互いに対をなしジグザグに配列された複数の走査電極と複数の維持電極を含み、前記アドレス電極と前記走査電極または前記維持電極の間にパネルキャパシターが形成されるパネルを含むプラズマディスプレイパネルを駆動する方法において、
第１電圧で充電されたパネルキャパシターのエネルギーを前記パネルキャパシターに電気的に連結されているインダクタに移して蓄積し、前記パネルキャパシターの端子電圧を第２電圧に変える第１段階と、
前記パネルキャパシターの端子電圧を前記第２電圧に維持する第２段階と、
前記インダクタに蓄積されたエネルギーを利用して前記パネルキャパシターの端子電圧を再び前記第１電圧に変える第３段階と、
前記パネルキャパシターの端子電圧を前記第１電圧に維持する第４段階と、を含み、
前記第２段階は前記インダクタに流れる電流を蓄勢循環して前記パネルキャパシターの端子電圧を前記第２電圧に維持することを特徴とするプラズマディスプレイパネルの駆動方法。
【請求項１２】
前記第４段階は前記パネルキャパシターの一端を前記第１電圧源に連結することによって前記パネルキャパシターの端子電圧を前記第１電圧に維持することを特徴とする請求項１１に記載のプラズマディスプレイパネルの駆動方法。
【請求項１３】
請求項１に記載の駆動装置を含むプラズマディスプレイパネルを駆動する方法において、
前記パネルキャパシターの端子電圧を前記第１電圧に維持する状態で前記第１スイッチング素子を遮断し、第２及び第３スイッチング素子を導通させ、前記パネルキャパシターの端子電圧を前記第２電圧に変えて前記インダクタにエネルギーを蓄積する第１段階と、
前記インダクタに流れる電流を第３スイッチング素子とダイオードを通って流れるようにし、前記パネルキャパシターの端子電圧を前記第２電圧に維持する第２段階と、
前記第３スイッチング素子を遮断して前記インダクタに流れる電流を前記パネルキャパシターに流れるようにし、前記パネルキャパシターの電圧を前記第１電圧を変える第３段階と、
前記第１スイッチング素子を導通させて前記パネルキャパシターの端子電圧を前記第１電圧に維持する第４段階と、を含み、
前記ダイオードは、アノードが前記第２電源に連結され、カソードが前記第２スイッチング素子と前記インダクタの接続点との間に連結されることを特徴とするプラズマディスプレイパネルの駆動方法。
【請求項１４】
前記第２スイッチング素子は前記第２段階または前記第３段階で遮断されることを特徴とする請求項１３に記載のプラズマディスプレイパネルの駆動方法。
【請求項１５】
前記第３スイッチング素子が導通する区間が前記第１スイッチング素子が導通した区間より短いことを特徴とする請求項１３に記載のプラズマディスプレイパネルの駆動方法。
【請求項１６】
前記第１電圧はアドレス電圧であり、前記第２電圧は接地電圧であることを特徴とする請求項１３に記載のプラズマディスプレイパネルの駆動方法。
【請求項１７】
パネルキャパシターが形成されるプラズマディスプレイパネルの電力回収回路において、
各々第１及び第２電圧を供給するための第１及び第２電源と、前記パネルキャパシターの一端に電気的に連結されるインダクタを含み、
前記パネルキャパシターの一端と前記第２電源の間に形成され、前記インダクタにエネルギーを蓄積しながら前記パネルキャパシターの一端電圧を前記第１電圧から前記第２電圧に落とすための第１電流経路と、
前記インダクタに蓄積されたエネルギーが維持されるように前記インダクタに流れる電流を蓄勢循環させる第２ダイオードを含む第２電流経路と、
前記インダクタに蓄積されたエネルギーで前記パネルキャパシターの一端電圧を前記第２電圧から前記第１電圧に上げるための第３電流経路と、
前記第１電圧と前記パネルキャパシターの一端の間に連結されて前記パネルキャパシターの一端を第１電圧に維持するための第４電流経路と、を含み、
前記第２ダイオードは、アノードが前記第２電源に連結され、カソードが前記インダクタに連結されることを特徴とするプラズマディスプレイパネルの電力回収回路。
【請求項１８】
前記第３電流経路は前記インダクタにアノードが連結され、前記パネルキャパシターの一端にカソードが連結される第１ダイオードを含むことを特徴とする請求項１７に記載のプラズマディスプレイパネルの電力回収回路。
【請求項１９】
複数のアドレス電極及び前記アドレス電極に交差して互いに対をなして配列された複数の走査電極と複数の維持電極、そして前記アドレス電極と前記走査電極または前記維持電極の間に形成されたパネルキャパシターを含むプラズマパネル、
外部から画像信号を受信してアドレス駆動制御信号及び維持放電信号を生成する制御部と、
前記制御部から前記アドレス駆動制御信号を受信して表示されるべき放電セルを選択するための表示データ信号を各アドレス電極に印加し、無効電力を回収して再使用する電力回収回路を含むアドレス駆動部と、
前記制御部から維持放電信号を受信して前記走査電極と前記維持電極に交互に維持放電パルス電圧を印加して前記選択された放電セルを維持放電させる走査・維持駆動部と、を含み、
前記電力回収回路は、
第１電圧を供給する第１電源と前記パネルキャパシターの一端の間に電気的に連結される第１スイッチング素子と、
前記第１スイッチング素子と前記パネルキャパシターの接続点に一端が連結される第２スイッチング素子と、
前記第２スイッチング素子の他端に一端が電気的に連結されるインダクタと、
前記インダクタの他端にアノードが連結され、前記第１スイッチング素子と前記パネルキャパシターの接続点の間にカソードが連結される第１ダイオードと、
第２電圧を供給する第２電源にアノードが連結され、前記第２スイッチング素子と前記インダクタの接続点の間にカソードが連結される第２ダイオードと、
前記インダクタの他端と前記第２電源の間に連結される第３スイッチング素子と、を含み、
前記パネルキャパシターの端子電圧の前記第２電圧を維持する間に前記インダクタに流れる電流を蓄勢循環させることを特徴とするプラズマディスプレイパネル。
【請求項２０】
前記電力回収回路は前記第２スイッチング素子にアノードが連結され、前記インダクタにカソードが連結される第３ダイオードをさらに含むことを特徴とする請求項１９に記載のプラズマディスプレイパネル。
【請求項２１】
前記第１電圧はアドレス電圧であり、前記第２電圧は接地電圧であることを特徴とする請求項１９に記載のプラズマディスプレイパネル。
【発明の詳細な説明】
【０００１】
【発明の属する技術分野】
本発明は、プラズマディスプレイパネル（PDP）及びその駆動方法に関し、特にプラズマディスプレイ発光に直接寄与する電力回収回路及びその駆動方法に関する。
【０００２】
【従来の技術】
最近、液晶表示装置（LCD）、電界放出表示装置（FED）、ＰＤＰなどの平面表示装置が活発に開発されている。これら平面表示装置の中でＰＤＰは他の平面表示装置に比べて輝度及び発光効率が高く視野角が広いという長所がある。したがって、ＰＤＰが４０インチ以上の大型表示装置において従来の陰極線管（CRT）を代替する表示装置として脚光を浴びている。
【０００３】
ＰＤＰは、気体放電によって生成されたプラズマを利用して文字または映像を表示する平面表示装置であって、そのサイズによって数十から数百万個以上の画素がマトリックス形態で配列されている。このようなＰＤＰは印加される駆動電圧波形の形態と放電セルの構造によって直流形（DC形）と交流形（AC形）に区分される。
【０００４】
直流形ＰＤＰは電極が放電空間にそのまま露出されていて電圧が印加されている間は電流が放電空間にそのまま流れ、したがって電流制限のための抵抗を作ってやらなければならないという短所がある。反面、交流形ＰＤＰでは電極を誘電体層が覆っていて自然なキャパシタンス成分の形成で電流が制限され、放電時イオンの衝撃から電極が保護されるので直流形に比べて寿命が永いという長所がある。
【０００５】
一般にＡＣ形ＰＤＰの駆動方法はリセット（初期化）期間、記録（アドレシング）期間、維持期間、消去期間として構成される。
【０００６】
リセット期間は、セルのアドレシング動作を円滑に行うために、各セルの状態を初期化する期間である。記録期間は、パネルの中で導通するセルと導通しないセルを選択し、導通するセル（アドレシングされたセル）に壁電荷を注入する（積む）動作を行う期間である。維持期間は、アドレシングされたセルが実際に画像を表示するための放電を行う期間である。消去期間はセルの壁電荷を減少させて維持放電を終了させる期間である。
【０００７】
ＡＣ形ＰＤＰでは、そのアドレシングのためのアドレス電極を容量性負荷として作用させるために、アドレス電極に対するキャパシタンスが存在するので、アドレシング用波形を印加するためにはアドレシング用電力の他に無効電力が必要である。このような無効電力を回収して再使用する回路を電力回収回路という。
【０００８】
以下、従来のＡＣ形ＰＤＰの電力回収回路とその駆動方法について説明する。
【０００９】
図１及び図２は従来の電力回収回路とその動作波形を示す図面である。
【００１０】
図１は、L.F.Weberによって提案されたＡＣ形ＰＤＰの電力回収回路（米国特許番号４，８６６，３４９及び５，０８１，４００）を示し、直列接続された二つのスイッチング素子（Ｓ１、Ｓ２）、各スイッチング素子に付置する直列ダイオード（Ｄ１、Ｄ２）、インダクタ（Ｌｃ）、電力回収用キャパシター（Ｃｃ）及び直列接続された二つのスイッチング素子（Ｓ３、Ｓ４）を含む。
【００１１】
二つのスイッチング素子（Ｓ３、Ｓ４）の間の接続点にはプラズマパネルが連結され、このプラズマパネルを等価的にキャパシター（Ｃｐ）で示す。
【００１２】
図２は、図１の電力回収回路における電圧・電流波形を示す。この回路はスイッチング素子（Ｓ１、Ｓ２、Ｓ３、Ｓ４）の動作に応じて４種類のモードで動作し、パネル等価キャパシター（Ｃｐ）を接続する端子の電圧（Ｖｐ）とインダクタ（Ｌｃ）を流れる電流（ＩＬ）の波形が示されている。
【００１３】
各スイッチング素子の状態は、ｔ０以前の初期状態ではＳ１が導通する直前までＳ４が導通していてパネルの端子電圧（Ｖｐ）は０Ｖを維持する。この時、電力回収用キャパシター（Ｃｃ）の１端はアドレス電圧（Ｖａ）の半分（Ｖａ/２）程度の電圧に充電されている。
【００１４】
ｔ０時点になればモード１の動作が始まり、パネルの端子電圧（Ｖｐ）を０Ｖに維持した状態で、 スイッチング素子（Ｓ１）が導通（ＯＮ）し、スイッチング素子（Ｓ２、Ｓ３、Ｓ４）が遮断（ＯＦＦ）される。
【００１５】
モード１の区間（ｔ０〜ｔ１）では電力回収用キャパシター（Ｃｃ）、スイッチング素子（Ｓ１）、ダイオード（Ｄ１）、インダクタ（Ｌｃ）及びパネルキャパシター（Ｃｐ）の経路でＬＣ共振回路が形成される。したがって、図２に示したようにインダクタ（Ｌｃ）に流れる電流（ＩＬ）はＬＣ共振によって、1度増加の後に減少して、半波形になる。一方、パネルの端子電圧（Ｖｐ）は次第に増加してほとんどアドレス電圧（Ｖa）に近くなるが、この時、インダクタ（Ｌｃ）にはほとんど電流が流れない瞬間を生じ、予想される無電流時点をｔ１とする。
【００１６】
時刻がｔ１に達すれば電流方向が反転し、スイッチング素子（Ｓ１）は付置ダイオードにより実質的に遮断される。残りのスイッチング素子は、スイッチング素子（Ｓ３）が導通に変わり、スイッチング素子（Ｓ２、Ｓ４）が遮断されてモード２が始まる。モード２の区間（ｔ１〜ｔ２）では外部印加電圧（Ｖａ）がスイッチング素子（Ｓ３）を通じてそのままパネルキャパシター（Ｃｐ）に流れてパネルの端子電圧（Ｖｐ）を維持する。
【００１７】
時刻がｔ２に達すれば、パネルの端子電圧（Ｖｐ）と放電を維持した状態でモード２が完了して、スイッチング素子（Ｓ２）が導通し、スイッチング素子（Ｓ１、Ｓ３、Ｓ４）が遮断されるモード３が始まる。
【００１８】
モード３の区間（ｔ２〜ｔ３）ではモード１と反対の経路であるプラズマパネルキャパシター（Ｃｐ）、インダクタ（Ｌｃ）、ダイオード（Ｄ２）、スイッチング素子（Ｓ２）及び電力回収用キャパシター（Ｃｃ）の経路でＬＣ共振回路が形成され、図２のようにインダクタ（Ｌｃ）に電流（ＩＬ）が流れてパネルの端子電圧（Ｖｐ）は減少し、ｔ３時点でインダクタ（Ｌｃ）の電流（ＩＬ）及びパネル端子電圧（Ｖｐ）は０となる。
【００１９】
時刻がｔ３に達すれば電流方向が反転し、スイッチング素子（Ｓ２）は付置ダイオードにより実質的に遮断される。モード４の動作区間（ｔ３〜ｔ４）では、残りのスイッチング素子は、スイッチング素子（Ｓ４）が導通に変わり、スイッチング素子（Ｓ１、Ｓ３）が遮断されてパネル端子電圧（Ｖｐ）は０Ｖをそのまま維持する。この状態でスイッチング素子（Ｓ１）が再び導通すればモード１の動作でサイクルが繰り返される。
【００２０】
しかし、このような従来型電力回収回路では、回収過程中のスイッチング素子の導通損失やスイッチング損失など回路自体の損失が存在するためにエネルギーが１００％回収できない問題点がある。これにより、アドレス電圧を所望の電圧（Ｖａ）まで上げられなかったり、接地電圧まで落とすことができないため、スイッチング素子が電流の在る状態でスイッチングして電力損失が発生する問題点がある。また、アドレス電圧の上昇時間及び下降時間が長くなって速度が遅くなる問題点がある。
【００２１】
【発明が解決しようとする課題】
本発明が目的とする技術的課題は、パネル電圧の上昇時間及び下降時間を減らし、また、スイッチング素子の個数を減らすことにある。
【００２２】
【課題を解決するための手段】
このような課題を解決するために本発明では、パネルキャパシターのエネルギーをインダクタに移して蓄積し、そのエネルギーで再びパネルキャパシターの端子電圧を上げる。
【００２３】
本発明によるプラズマディスプレイパネルの電力回収回路は、複数のアドレス電極及びアドレス電極に交差する複数対の走査電極・維持電極対を含み、アドレス電極と走査電極または維持電極の間にパネルキャパシターが形成されている。また、好ましくは、複数のアドレス電極及びアドレス電極に交差して互いに対をなしてジグザグに配列された複数の走査電極と複数の維持電極を含み、アドレス電極と走査電極または維持電極の間にパネルキャパシターが形成されている。
【００２４】
本発明の第１特徴によると、電力回収回路には第１乃至第３スイッチング素子、インダクタ、第１及び第２ダイオードが形成されている。第１スイッチング素子は第１電圧を供給する第１電源とパネルキャパシターの一端の間に電気的に連結され、第２スイッチング素子は第１スイッチング素子とパネルキャパシターの接続点に一端が連結される。インダクタの一端は第２スイッチング素子の他端に電気的に連結され、第３スイッチング素子はインダクタの他端と第２電圧を供給する第２電源の間に連結される。第１ダイオードはインダクタの他端と第１スイッチング素子とパネルキャパシターの接続点の間に連結され、第２ダイオードは第２電源と第２スイッチング素子とインダクタの接続点の間に連結される。
【００２５】
この時、本発明の第１特徴による電力回収回路は、第２スイッチング素子とインダクタの間に連結される第３ダイオードをさらに含むことができる。
【００２６】
本発明の第２特徴によると、パネルキャパシターの一端に一端が電気的に連結されるインダクタを含む駆動装置が提供される。このプラズマディスプレイパネルの駆動装置は、第１電圧で充電されたパネルキャパシターのエネルギーをインダクタに移して蓄積することによってパネルキャパシターの端子電圧を第２電圧に変える。また、インダクタに蓄積されたエネルギーを利用してパネルキャパシターの端子電圧を第１電圧に変える。そして、パネルキャパシターの端子電圧が第２電圧に変わった後、インダクタに流れる電流にフライホイル（蓄勢循環）効果を与えるようにしてパネルキャパシターの端子電圧を第２電圧に維持することが好ましい。
【００２７】
この時、駆動装置は、電流がフライホイル効果を持つようにインダクタと第２電圧源の間に電気的に連結される少なくとも一つのダイオードをさらに含むことができる。また、駆動装置はパネルキャパシターの端子電圧が第１電圧に変わった後、パネルキャパシターの一端を第１電源に連結することによってパネルキャパシターの端子電圧を第１電圧に維持することが好ましい。駆動装置は、第１電源とパネルキャパシターの間に電気的に連結されて端子電圧が第１電圧に維持するようにスイッチング動作するスイッチング素子をさらに含むことができる。
【００２８】
本発明によるプラズマディスプレイパネルが動作する時、第１乃至第４電流経路が形成される。第１電流経路は、パネルキャパシターの一端と第２電源の間に形成され、インダクタにエネルギーを蓄積しながらパネルキャパシターの一端電圧を第１電圧から第２電圧に落とす。第２電流経路はインダクタに蓄積されたエネルギーが維持されるようにインダクタに流れる電流にフライホイル効果を与えるダイオードを含む。第３電流経路が形成されれば、インダクタに蓄積されたエネルギーによって、パネルキャパシターの一端電圧は第２電圧から第１電圧に上がる。第４電流経路によって、第１電圧とパネルキャパシターの一端が電気的に連結されてパネルキャパシターの一端が第１電圧に維持される。
【００２９】
本発明によるプラズマディスプレイパネルを駆動する時は、まず、第１電圧で充電されたパネルキャパシターのエネルギーをパネルキャパシターに電気的に連結されているインダクタに移して蓄積し、パネルキャパシターの端子電圧を第２電圧に変える。第２電圧に変わったパネルキャパシターの端子電圧を維持する。次に、インダクタに蓄積されたエネルギーを利用してパネルキャパシターの端子電圧を再び第１電圧に変え、その電圧を第１電圧に維持する。
【００３０】
本発明の第１特徴によるプラズマディスプレイパネルの電力回収回路を駆動する時は、パネルキャパシターの端子電圧が第１電圧を維持する状態で、まず、第１スイッチング素子を遮断して第２及び第３スイッチング素子を導通させ、パネルキャパシターの端子電圧を第２電圧に変えてインダクタにエネルギーを蓄積する。次に、インダクタに流れる電流を第３スイッチング素子と第２ダイオードを通って流れるようにし、パネルキャパシターの端子電圧を第２電圧に維持する。そして、第３スイッチング素子を遮断してインダクタに流れる電流をパネルキャパシターに流れるようにしてパネルキャパシターの電圧を第１電圧に変える。次に、第１スイッチング素子を導通させてパネルキャパシターの端子電圧を第１電圧に維持する。
【００３１】
この時、第３スイッチング素子が導通する区間は、第１スイッチング素子が導通した区間より短いのが好ましい。
【００３２】
【発明の実施の形態】
添付した図面を参考として本発明の実施例について本発明が属する技術分野における通常の知識を有する者が容易に実施できるように詳細に説明する。しかし、本発明は多様に異なる形態で実現することができ、ここで説明する実施例に限定されない。
【００３３】
図面を参照して本発明を明確に説明するために、説明と関係ない部分は省略した。明細書全体に亙って類似な部分については同一の図面符号を付けた。ある部分が他の部分と連結されているとする時、これは直接的に連結されている場合だけでなく、その中間に他の素子を介在させて電気的に連結されている場合も含む。
【００３４】
次に、本発明の実施例によるプラズマディスプレイパネル及びその駆動方法について図面を参考として詳細に説明する。
【００３５】
まず、図３を参照して本発明の実施例によるプラズマディスプレイパネルについて説明する。
【００３６】
図３は本発明によるプラズマディスプレイパネルを示す図面である。
【００３７】
図３に示したように、本発明によるプラズマディスプレイパネルはプラズマパネル１００、アドレス駆動部２００、走査・維持駆動部３００及び制御部４００を含む。
【００３８】
プラズマパネル１００は、列方向に長い導体を行方向に複数本配列しているアドレス電極群（Ａ１〜Ａｍ）、行方向に長い導体を列方向に複数対配列している走査電極・維持電極対群（Ｙ１、Ｘ１〜Ｙｎ、Ｘｎ）を含む。なお、維持電極（Ｘ１〜Ｘｎ）は各走査電極（Ｙ１〜Ｙｎ）に対応して形成されるが、行方向位置をずらせて配置し、その端部がジグザグであることが好ましく、一般的に、その一端が互いに共通に連結されている。
【００３９】
アドレス駆動部２００は、制御部４００からアドレス駆動制御信号を受信して表示しようとする放電セルを選択するための表示データ信号を各アドレス電極に印加し、無効電力を回収して再使用する電力回収回路を含む。
【００４０】
走査・維持駆動部３００は、制御部４００から維持放電信号を受信して走査電極と維持電極に維持パルス電圧を交互に入力することによって、選択された放電セルに対して維持放電を行う。
【００４１】
制御部４００は、外部から映像信号を受信してアドレス駆動制御信号と維持放電信号を生成し、各々アドレス駆動部２００と走査・維持駆動部３００に印加する。
【００４２】
以下、図４乃至図６を参照してアドレス駆動部２００に含まれている本発明の実施例による電力回収回路２１０を説明する。
【００４３】
図４は本発明の実施例による電力回収回路を示す回路図である。
【００４４】
図４に示したように、本発明の実施例による電力回収回路２１０は、パネル（以下、パネルキャパシター（Ｃｐ）という）の第1電極にアドレス駆動ＩＣ（図示せず）を介在させて連結されている。パネルキャパシター（Ｃｐ）の第２電極には他の駆動部、例えば、走査駆動ＩＣまたは維持駆動ＩＣが連結される。
【００４５】
以下、アドレス駆動ＩＣを省略し、電力回収回路２１０がパネルキャパシター（Ｃｐ）に連結されたと仮定して説明する。
【００４６】
このような電力回収回路２１０は、インダクタ（Ｌ）、スイッチング素子（Ｓ１、Ｓ２、Ｓ３）及びダイオード（Ｄ１、Ｄ２）を含む。スイッチング素子（Ｓ１）は、アドレス電圧（Ｖａ）とパネルキャパシター（Ｃｐ）の第1電極の間に連結され、スイッチング素子（Ｓ２）及びインダクタ（Ｌ）はパネルキャパシター（Ｃｐ）の第1電極に直列に連結される。
【００４７】
そして、ダイオード（Ｄ１）は、インダクタ（Ｌ）のスイッチング素子（Ｓ２）と連結されない一端とパネルキャパシター（Ｃｐ）の第1電極の間に連結されて電流経路を形成する。そして、スイッチング素子（Ｓ３）とダイオード（Ｄ２）が各々インダクタの両端と接地点の間に連結されて電流のフライホイル経路を形成する。
【００４８】
また、電力回収回路２１０は、パネルキャパシター（Ｃｐ）からインダクタ（Ｌ）への電流経路を設定するダイオード（Ｄ３）をさらに含むことができる。
【００４９】
次に、図５Ａ乃至図５Ｄ、図６を参照して本発明の実施例によるプラズマディスプレイの駆動方法について説明する。
【００５０】
図５Ａ乃至図５Ｄは、各々本発明の実施例による電力回収回路で各モードの電流経路を示す図面であり、図６は、本発明の実施例による電力回収回路での動作タイミングを示す図面である。
【００５１】
本発明の実施例ではモード１が始まる前にスイッチング素子（Ｓ１）が導通していてパネルキャパシター（Ｃｐ）の端子電圧（Ｖｐ）がアドレス電圧（Ｖａ）に維持されていると仮定する。
【００５２】
▲１▼モード１（Ｍ１）
図５Ａと図６のＭ１区間を参照してモード１での動作を説明する。
モード１区間（Ｍ１）ではスイッチング素子（Ｓ１）が遮断されてスイッチング素子（Ｓ２、Ｓ３）が導通する。次に、パネルキャパシター（Ｃｐ）、スイッチング素子（Ｓ２）、ダイオード（Ｄ３）、インダクタ及びスイッチング素子（Ｓ３）に電流経路が形成される。この電流経路によってパネルキャパシター（Ｃｐ）の端子電圧（Ｖｐ）はアドレス電圧（Ｖａ）から接地電圧に低下し、インダクタ（Ｌ）に流れる電流（ＩＬ）は増加してインダクタにエネルギーが蓄積される。つまり、パネルキャパシター（Ｃｐ）に蓄積されていたエネルギーをインダクタ（Ｌ）に保存するようになる。
【００５３】
▲２▼モード２（Ｍ２）
図５Ｂと図６のＭ２区間を参照してモード２での動作を説明する。
パネルキャパシター（Ｃｐ）の端子電圧（Ｖｐ）が接地点よりも低い電圧に落下すればダイオード（Ｄ２）とインダクタ（Ｌ）及びダイオード（Ｄ１）によってそれ以上落ちず、接地点よりも少し低い電圧に維持される。また、インダクタ（Ｌ）に流れる電流（ＩＬ）はインダクタ（Ｌ）、スイッチング素子（Ｓ３）及びダイオード（Ｄ２）の経路でフライホイル回路を形成する。この時、インダクタ（Ｌ）に流れる電流（ＩＬ）は最大になり、この期間は短いほど有利である。
【００５４】
▲３▼モード３（Ｍ３）
図５Ｃと図６のＭ３区間を参照してモード３での動作を説明する。
モード３区間（Ｍ３）ではスイッチング素子（Ｓ１）が遮断された状態でスイッチング素子（Ｓ２、Ｓ３）が遮断される。スイッチング素子（Ｓ２）はモード２で電流経路に関与しないために、モード２区間（Ｍ２）で遮断しても何も変化しない。スイッチング素子（Ｓ３）が遮断されればインダクタ（Ｌ）に流れる電流（ＩＬ）はダイオード（Ｄ２）、インダクタ（Ｌ）、ダイオード（Ｄ１）及びパネルキャパシター（Ｃｐ）の経路で流れてパネルキャパシター（Ｃｐ）の端子電圧（Ｖｐ）は増加する。インダクタ電流（ＩＬ）が零になれば、パネルキャパシター（Ｃｐ）の端子電圧（Ｖｐ）はそれ以上上昇せずアドレス電圧（Ｖａ）になる。
【００５５】
モード３（Ｍ３）ではモード１でパネルキャパシター（Ｃｐ）に蓄積されていたエネルギーを利用してインダクタに蓄積したエネルギーを、再びパネルキャパシター（Ｃｐ）に保存しパネルキャパシターの端子電圧（Ｖｐ）を上げる。
【００５６】
▲４▼モード４（Ｍ４）
図５Ｄと図６のＭ４区間を参照してモード４での動作を説明する。
モード４区間（Ｍ４）ではパネルキャパシター（Ｃｐ）の端子電圧（Ｖｐ）がアドレス電圧（Ｖａ）まで上昇した状態でスイッチング素子（Ｓ１）を導通させる。スイッチング素子（Ｓ１）が導通すればアドレス電圧（Ｖａ）、スイッチング素子（Ｓ１）、パネルキャパシター（Ｃｐ）の経路によってパネルキャパシター（Ｃｐ）の端子電圧（Ｖｐ）はアドレス電圧（Ｖａ）を維持することができる。
【００５７】
次に、モード１からモード４の過程が繰り返されて、パネルキャパシター（Ｃｐ）の端子電圧（Ｖｐ）がアドレス電圧（Ｖａ）または接地電圧に反復的に切換えられる。
【００５８】
【発明の効果】
このように本発明の実施例によれば、パネルキャパシター（Ｃｐ）に充電されたエネルギーをインダクタ（Ｌ）に移して蓄積し、インダクタ（Ｌ）に蓄積されたエネルギーを利用してパネルキャパシター（Ｃｐ）の端子電圧（Ｖｐ）を再び上げることができる。
【００５９】
本発明によれば、従来技術に比べてスイッチング素子及びダイオードの個数が一つずつ減っており、また、外部キャパシター（Ｃｒ）が必要でない。つまり、従来技術に比べて回路構成が簡単になる。そして、外部キャパシター（Ｃｒ）を使用せずインダクタ（Ｌ）にだけエネルギーを保存して充放電を行うので、パネルキャパシター（Ｃｐ）の端子電圧をアドレス電圧（Ｖａ）まで上げたり、接地レベルまで落とすことが、迅速にできるので上昇及び下降時間が減少する。このようにパネルキャパシター（Ｃｐ）の電圧が接地電圧に下がった後、再びアドレス電圧に復旧するのにかかる時間が短いほど高い電圧を維持する時間が長いのでプラズマディスプレイパネルの放電特性が良くなる。
【００６０】
以上で本発明の好ましい実施例について詳細に説明したが、本発明の権利範囲はこれに限定されず、請求範囲で定義している本発明の基本概念を利用した当業者の多様な変形及び改良形態もやはり本発明の権利範囲に属する。
【図面の簡単な説明】
【図１】  従来技術による電力回収回路を示す回路図である。
【図２】  従来技術による電力回収回路での動作タイミングを示す図面である。
【図３】  本発明によるプラズマディスプレイパネルを示す図面である。
【図４】  本発明の実施例による電力回収回路を示す回路図である。
【図５Ａ】  各々本発明の実施例による電力回収回路で各モードの電流経路を示す図面である。
【図５Ｂ】  各々本発明の実施例による電力回収回路で各モードの電流経路を示す図面である。
【図５Ｃ】  各々本発明の実施例による電力回収回路で各モードの電流経路を示す図面である。
【図５Ｄ】  各々本発明の実施例による電力回収回路で各モードの電流経路を示す図面である。
【図６】  本発明の実施例による電力回収回路での動作タイミングを示す図面である。
【符号の説明】
１００    プラズマパネル
２００    アドレス駆動部
２１０    電力回収回路
３００    走査・維持駆動部
４００    制御部
【図１】
0004022485.tif 000002
【図２】
0004022485.tif 000003
【図３】
0004022485.tif 000004
【図４】
0004022485.tif 000005
【図５Ａ】
0004022485.tif 000006
【図５Ｂ】
0004022485.tif 000007
【図５Ｃ】
0004022485.tif 000008
【図５Ｄ】
0004022485.tif 000009
【図６】
0004022485.tif 000010